(57)【要約】【課題】文字サイズ情報を含むメールと含まないメールとで書誌事項の表示文字サイズが異ならないメール表示装置、携帯端末装置及びメール表示方法を提供する。【解決手段】無線通信部１がメールを受信した際に、制御部５が受信したメールがＨＴＭＬメールであるか否かの判定を行い、ＨＴＭＬメールであった場合には、メールの書誌事項部分をあらかじめ設定され記憶部２に記憶された設定情報に応じて表示部３に表示させ、メール本文をＨＴＭＬメールが有する、ＨＴＭＬタグの形式で記述された文字サイズ情報に応じて表示させる。【選択図】図６
2008171342.tif 000002
【特許請求の範囲】
【請求項１】
メール本文を有するメールを受信可能な受信部と、
前記受信部にて受信された前記メールの前記メール本文と前記メールの書誌事項とを表示可能な表示部と、
前記表示部への前記メールの表示を制御する表示制御部と、
前記メールを前記表示部へ表示するときの表示文字サイズを設定可能な文字サイズ設定部と、
を備え、
前記表示制御部は、前記受信部にて受信された前記メールを前記表示部に表示するときに前記文字サイズ設定部にて設定された表示文字サイズに応じて文字表示を行い、前記メールが前記メール本文に対する文字サイズ情報を含む場合には、前記文字サイズ情報に応じて前記メール本文を表示し、前記メールの書誌事項を前記文字サイズ設定部にて設定された前記表示文字サイズに応じて表示する
ことを特徴とするメール表示装置。
【請求項２】
前記表示制御部は、前記受信された前記メールを前記表示部に表示させる際に、前記書誌事項と前記メール本文とを同時に表示させる
ことを特徴とする請求項１に記載のメール表示装置。
【請求項３】
前記表示制御部は、前記書誌事項を前記メール本文より前記表示部の表示画面の上部に表示させる
ことを特徴とする請求項２に記載のメール表示装置。
【請求項４】
前記表示制御部は、前記受信部にて受信された複数のメールを前記表示部に連続的に表示させる場合、前記複数のメールの各書誌事項と各メール本文との表示位置関係を同一にする
ことを特徴とする請求項２または３に記載のメール表示装置。
【請求項５】
前記表示制御部は、前記メールの前記メール本文に対する文字サイズ情報に応じた文字サイズが前記文字サイズ設定部により設定可能な表示文字サイズと異なる場合、前記文字サイズ情報に応じて前記文字サイズ設定部により設定可能な表示文字サイズを選択し、選択された文字サイズにて前記メール本文を表示する
ことを特徴とする請求項１から４のいずれか一項に記載のメール表示装置。
【請求項６】
筐体と、
メール本文を有するメールを受信可能な受信部と、
前記筐体に配設されて、前記受信部にて受信された前記メールの前記メール本文と前記メールの書誌事項とを表示可能な表示部と、
前記表示部への前記メールの表示を制御する表示制御部と、
前記メールを前記表示部へ表示するときの表示文字サイズを設定可能な文字サイズ設定部と
を備え、
前記表示制御部は、前記受信部にて受信された前記メールを前記表示部に表示するときに前記文字サイズ設定部にて設定された表示文字サイズに応じて文字表示を行い、前記メールが前記メール本文に対する文字サイズ情報を含む場合には、前記表示文字サイズに応じて前記メール本文を表示し、前記メールの書誌事項を前記文字サイズ設定部にて設定された前記表示文字サイズに応じて表示する
ことを特徴とする携帯端末装置。
【請求項７】
メール本文を有するメールを取得する第１の工程と、
前記第１の工程において取得された前記メールが前記メール本文を表示する際の文字サイズ情報を含むメールであるか否かを判定する第２の工程と、
前記第２の工程において、前記メールが前記メール本文を表示する際の文字サイズ情報を含むと判定した場合に、前記メール本文を前記文字サイズ情報に応じて表示し、前記メールの書誌事項をあらかじめ設定された前記表示文字サイズに応じて表示する第３の工程と、
を有することを特徴とするメール表示方法。
【発明の詳細な説明】
【技術分野】
【０００１】
本発明は、メールを表示可能なメール表示装置、携帯端末装置及びメール表示方法に関する。
【背景技術】
【０００２】
携帯電話等の携帯端末装置は、電子メール（ｅメール）の送受信を行うことが可能であるメール表示装置であるものが多い。
一般に、メール表示装置ではその表示部に電子メールを表示する際に、電子メールの視認性をあげるために、表示するメールの文字サイズをユーザが設定可能としている場合が多い。
例えば、特許文献１には、表示文字サイズをユーザが任意に設定でき、メール等を表示する際に設定された表示文字サイズで表示することにより視認性等を向上できる表示付き無線選択呼出受信機が開示されている。
【特許文献１】特開平０６−０７７８８１号公報
【発明の開示】
【発明が解決しようとする課題】
【０００３】
しかし、近年では、文字の大きさやレイアウト等を送信者が自由に設定でき、表示文字サイズやレイアウトの情報をも有するＨＴＭＬメールを送受信可能なメール表示装置も現れている。
ＨＴＭＬメールの表示時には、メール表示装置ごとにあらかじめ設定された表示文字サイズに従って表示を行った場合、送信者の意図しない表示文字サイズでＨＴＭＬメールが表示され、送信者の意図したレイアウトが崩れてしまう、といった事態が起こりうる。このため、従来のメール表示装置は、ＨＴＭＬメールの表示時にはメール表示装置ごとに設定された表示文字サイズに従わず、ＨＴＭＬメール自身が有する文字サイズ情報に従って表示を行うものが多い。
【０００４】
ところで、電子メールがメール表示装置等に表示される際には、本文の他、メールナンバー（そのメール表示装置に届いたメールに順番に番号をつけたもの）、メールを受信した日時、送信者アドレス、送信者名、メールタイトル等が表示される。以下では、これらメール本文以外に表示されるものを書誌事項と称し、本文と書誌事項とを含めてメールと称する。
メール表示装置には、ＨＴＭＬメールではないメールの表示を行う場合、これら書誌事項もユーザによって設定された表示文字サイズで表示するものが多い。一方、メール表示装置がＨＴＭＬメールを表示する場合には、これら書誌事項の部分のみ、所定の大きさ（上述した表示文字サイズとは別に、例えばあらかじめ決定された大きさ）で表示される場合が多い。何故なら、メール表示装置はＨＴＭＬメールを表示する際にはメール本文はＨＴＭＬメール自身が有する文字サイズ情報に従って表示を行うため、ＨＴＭＬメールの表示時には表示文字サイズを設定できなくしてある場合が多く、この場合書誌事項部分の表示文字サイズをユーザが設定することができないため、あらかじめ書誌事項部分の表示文字サイズを設定しておく必要があるからである。
【０００５】
上述したようなメール表示装置においてＨＴＭＬメールが表示される場合、ＨＴＭＬメールでないメールの表示時の表示文字サイズと、ＨＴＭＬメールの書誌事項部分の表示文字サイズとが異なるような事態が生じる。ＨＴＭＬメールを受信及び表示可能なメール表示装置では、ＨＴＭＬメールとＨＴＭＬメールでないメールとを分類せず、同じメールフォルダに記憶する場合が多いため、このような場合において、ユーザがメールフォルダ内の（ＨＴＭＬメールと通常のメールの入り混じった）メールを例えば受信した順番で次々に見ていく場合に、ＨＴＭＬメールの表示時と通常のメールの表示時とで書誌事項の表示文字サイズが異なり、ユーザが違和感を覚える、といった不利益が生じてしまう。
【０００６】
本発明は、上述した不利益を解消するために、文字サイズ情報を含むメールと含まないメールとで書誌事項の表示文字サイズが異ならないメール表示装置、携帯端末装置及びメール表示方法を提供することを目的とする。
【課題を解決するための手段】
【０００７】
上述した目的を達成するために、第１の発明のメール表示装置は、メール本文を有するメールを受信可能な受信部と、前記受信部にて受信された前記メールの前記メール本文と前記メールの書誌事項とを表示可能な表示部と、前記表示部への前記メールの表示を制御する表示制御部と、前記メールを前記表示部へ表示するときの表示文字サイズを設定可能な文字サイズ設定部と、を備え、前記表示制御部は、前記受信部にて受信された前記メールを前記表示部に表示するときに前記文字サイズ設定部にて設定された表示文字サイズに応じて文字表示を行い、前記メールが前記メール本文に対する文字サイズ情報を含む場合には、前記文字サイズ情報に応じて前記メール本文を表示し、前記メールの書誌事項を前記文字サイズ設定部にて設定された前記表示文字サイズに応じて表示する。
【０００８】
第２の発明の携帯端末装置は、筐体と、メール本文を有するメールを受信可能な受信部と、前記筐体に配設されて、前記受信部にて受信された前記メールの前記メール本文と前記メールの書誌事項とを表示可能な表示部と、前記表示部への前記メールの表示を制御する表示制御部と、前記メールを前記表示部へ表示するときの表示文字サイズを設定可能な文字サイズ設定部とを備え、前記表示制御部は、前記受信部にて受信された前記メールを前記表示部に表示するときに前記文字サイズ設定部にて設定された表示文字サイズに応じて文字表示を行い、前記メールが前記メール本文に対する表示文字情報を含む場合には、前記表示文字サイズ情報に応じて前記メール本文を表示し、前記メールの書誌事項を前記文字サイズ設定部にて設定された前記表示文字サイズに応じて表示する。
【０００９】
第３の発明のメール表示方法は、メール本文を有するメールを取得する第１の工程と、前記第１の工程において取得された前記メールを前記表示部に表示するときに、あらかじめ設定された表示文字サイズに応じて文字表示を行う第２の工程と、を有し、前記第２の工程は、前記メールが前記メール本文に対する文字サイズ情報を含む場合には、前記文字サイズ情報に応じて前記メール本文を表示し、前記メールの書誌事項をあらかじめ設定された前記表示文字サイズに応じて表示する第３の工程をさらに有する。
【発明の効果】
【００１０】
本発明によれば、文字サイズ情報を含むメールと含まないメールとで表示時に書誌事項の文字の大きさが異ならないメール表示装置、携帯端末装置及びメール表示方法を提供することができる。
【発明を実施するための最良の形態】
【００１１】
以下、本発明の実施形態の携帯端末装置１００について説明する。
図１は、携帯端末装置１００の構成例を示すブロック図である。
図１に示すように、携帯端末装置１００は、無線通信部（本発明の受信部に対応）１、記憶部２、表示部３、入力部４、制御部５を有する。
【００１２】
無線通信部１は、アンテナ部１１を有し、図１に図示しない通信ネットワークを介してサーバ装置と各種データの送受信を行う。各種データとは、例えば、音声通話やメール等のデータである。
記憶部２は、携帯端末装置１００の各動作に使用される各種データを記憶する。各種データとは、例えば、無線通信部１が通信ネットワークを介してサーバ装置から受信したメールや、音声データ、画像データ、また携帯端末装置１００上で動作するアプリケーション等のプログラムや動作に必要なデータの類である。
【００１３】
表示部３は、例えば液晶や有機ＥＬ（Electro-Luminescence）等のディスプレイを有する表示デバイスであり、メールやメモ等の文字を表示する。なお、表示部３は、文字のみではなく例えば画像等を表示してもよい。
入力部４は、テンキーやボタン、スイッチ等の入力デバイスであり、携帯端末装置１００の各種動作時のユーザの入力を受け付ける。
【００１４】
制御部５は、携帯端末装置１００の動作を統括的に制御する。すなわち、携帯端末装置１００の各種動作時には携帯端末装置１００の各構成を制御してその動作を行わせる処理を実行する。各種動作とは、例えば、音声通話、メール送受信、アプリケーション（例えば音楽プレーヤやゲーム等）実行等である。
また、制御部５は、文字データ等を表示部３に表示させる制御を行う表示制御部５１をさらに有する。
特に、表示制御部５１は、メールを表示部３に表示させる際に文字の大きさ（表示文字サイズ）等を所定の設定に従って変更する処理を行う。表示制御部５１が行うこの表示文字サイズ変更処理は、後に詳しく説明する。
【００１５】
図２は、携帯端末装置１００の外観の一例を示す図である。
図２に示すように、携帯端末装置１００は、上部筐体１０１と下部筐体１０２とがヒンジ部１０３によって開閉可能に接続されている。
上部筐体１０１は液晶画面等の表示部３を有する。
下部筐体１０２は、テンキーや十字キー等の入力部４を有する。
【００１６】
以下、表示制御部５１が行うメールを表示部３に表示させる際の表示文字サイズ変更処理について説明する。
まず、表示制御部５１が表示部３に表示させるメール表示画面の一例を図３に示す。
図３は、表示制御部５１が表示部３に表示させたメール表示画面の一例を示す図である。
図３に示すように、メール表示画面は、メールナンバー２０１、受信時刻２０２、差出人２０３、件名２０４、メール本文２０５を含む。
メールナンバー２０１は、携帯端末装置１００の記憶部２に記憶された全メールに例えば受信日時順に付されたナンバーであり、現在表示部３に表示されたメールが新しく受信したメールから何番目のメールであるかを示している。メールナンバー２０１は、受信日順以外に、例えば未読・未受信順（まだ読んでいないメール、またはまだサーバ装置から携帯端末装置１００に受信していないメールの順）、差出人名順、件名順等の順番に付されたナンバーであっても良い。
【００１７】
受信時刻２０２は、表示部３に表示されたメールが受信された時の日時及び受信時刻を示している。
件名２０３は、表示部３に表示されたメールの件名を示している。
メール本文２０５は、メールの内容にかかわる本文を表示している。
【００１８】
表示制御部５１は、例えば、図３に示したようにメールを表示部３に表示する際に、文字の大きさ（表示文字サイズ）を所定の設定に従って変更し表示することができる。
図４は、表示制御部５１が文字の大きさを変更したメールを表示部３に表示させたメール表示画面の一例を示す図である。
表示文字サイズは、入力部４を介したユーザの操作等により設定され、設定された設定情報は記憶部２に記憶される。表示制御部５１は、メールの表示部３への表示時には記憶部２の設定情報を読み出して設定された表示文字サイズの通りに表示させる。
【００１９】
図４（ａ）は、設定情報において表示文字サイズの設定が「極小」となっていた場合のメール表示画面の一例である。
図４（ｂ）は、設定情報において同設定が「小」となっていた場合のメール表示画面の一例である。
図４（ｃ）は、設定情報において同設定が「中」となっていた場合のメール表示画面の一例である。
図４（ｄ）は、設定情報において同設定が「大」となっていた場合のメール表示画面の一例である。
図４（ｅ）は、設定情報において同設定が「極大」となっていた場合のメール表示画面の一例である。
【００２０】
図４に示したように、表示制御部５１は、設定情報における表示文字サイズの設定に従って、メール表示画面内のすべての文字を設定された文字の大きさで表示部３に表示させる。
【００２１】
なお、メールには、メール本文の文字サイズ情報を含んで送信されるものも存在する。こうしたメールには、例えばＨＴＭＬ（HyperText Markup Language）メールがある。
図５は、ＨＴＭＬメールの一例を示す図である。
ＨＴＭＬメールは、例えば図５（ａ）に示すように、通常のメール本文にタグと呼ばれる制御用の文字列を追加して（ハイパーテキスト言語で）記述されており、表示制御部５１がタグを読み取って表示部３に図５（ｂ）に示すメール表示画面のように表示させる。
図５（ａ）はハイパーテキストで記述されたＨＴＭＬメールのソースの一例を示しており、図５（ｂ）は表示制御部５１の制御により表示部３に表示されたＨＴＭＬメールの画面の一例を示している。
【００２２】
図５（ａ）に示すように、ＨＴＭＬメール中ではメールの本文に<Font size=3>のようにフォント（文字の書体データ）の大きさを指定するタグが追記されており、これにより、ＨＴＭＬメールが表示部３に表示される際には送信者の意図した通りに文字をレイアウトすることが可能になる。例えば図５（ｂ）に示すようにメール本文の一部の文字列のみ文字のサイズを大きくする、といったことも可能である。
【００２３】
なお、一般に、ＨＴＭＬメールを表示可能なメール表示装置では、作成者の意図した通りにＨＴＭＬメールを表示するために、あらかじめ設定された設定情報を無視してＨＴＭＬメールのソースに記述された文字サイズでＨＴＭＬメールを表示するようになっているものが多い。本実施形態の携帯端末装置１００でも、表示制御部５１は記憶部２に記憶された設定情報にではなく、ＨＴＭＬメール中の文字サイズ情報に従ってＨＴＭＬメールの本文を表示部３に表示させる。
【００２４】
すなわち、本実施形態の表示制御部５１は、メール本文は上述したようにＨＴＭＬメールのソースに記述された文字サイズで表示部３に表示させるが、メールの書誌事項、すなわち、メールナンバー、受信時刻、差出人、件名に関しては記憶部２に記憶された文字サイズ情報に設定された表示文字サイズで表示する。
従来のＨＴＭＬメールを表示可能なメール表示装置では上述したように、ＨＴＭＬメールの書誌事項の部分はあらかじめ決められた所定の表示文字サイズで表示されることが多かったが、本発明の携帯端末装置１００ではＨＴＭＬメールの書誌事項をＨＴＭＬメールでないメールのためにユーザによって設定され記憶部２に記憶された設定情報に従って表示している。これにより、ＨＴＭＬメールではないメールとＨＴＭＬメールとが表示部３に次々に表示される際、書誌事項の表示文字サイズがＨＴＭＬメールとそうでないメールとで異なり、ユーザがこれを見て違和感を抱く、という事態を回避することができる。
【００２５】
本実施形態の表示制御部５１がＨＴＭＬメールを表示部３に表示させる際の表示例を図６に示す。
図６（ａ）は記憶部２に記憶された表示文字サイズの設定情報が「小」である場合の表示例であり、図６（ｂ）は記憶部２に記憶された設定情報が「中」である場合の表示例であり、図６（ｃ）は記憶部２に記憶された設定情報が「大」である場合の表示例である。
図６に示すように、表示制御部５１は、ＨＴＭＬメールの場合でも書誌事項については設定情報に応じて表示文字サイズを変更する。
【００２６】
次に、本実施形態の携帯端末装置１００のメール表示時の動作例について説明する。
図７は、携帯端末装置１００のメール表示時の動作例を示すフローチャートである。
ステップＳＴ１:
携帯端末装置１００の無線通信部１は、通信ネットワークを介してメールサーバ等と通信を行い、携帯端末装置１００宛のメールを受信する。
【００２７】
ステップＳＴ２：
制御部５は、ステップＳＴ１において無線通信部１が受信したメールがＨＴＭＬメールであるか否かの判定を行い、ＨＴＭＬメールであった場合はステップＳＴ３に進み、そうでない場合はステップＳＴ４に進む。なお、制御部５のＨＴＭＬメール判定方法は本発明では限定しない。
ステップＳＴ３：
表示制御部５１は、ステップＳＴ２においてＨＴＭＬメールであると判定されたメールを表示部３に表示させるための処理を行う。すなわち、メールの書誌事項部分をあらかじめ設定され記憶部２に記憶された設定情報に応じて表示させ、メール本文をＨＴＭＬメールが有する、ＨＴＭＬタグの形式で記述された文字サイズ情報に応じて表示させる。
ステップＳＴ４：
表示制御部５１は、ステップＳＴ２においてＨＴＭＬメールではないと判定されたメールを表示部３に表示させるための処理を行う。すなわち、あらかじめ設定され記憶部２に記憶された表示文字サイズの設定情報に応じてメールを表示させる。
【００２８】
以上説明したように、本実施形態の携帯端末装置１００によれば、無線通信部１がメールを受信した際に、制御部５が受信したメールがＨＴＭＬメールであるか否かの判定を行い、ＨＴＭＬメールであった場合には、メールの書誌事項部分をあらかじめ設定され記憶部２に記憶された設定情報に応じて表示部３に表示させ、メール本文をＨＴＭＬメールが有する、ＨＴＭＬタグの形式で記述された文字サイズ情報に応じて表示させるので、ＨＴＭＬメールの表示時にＨＴＭＬメールの表示時とは書誌事項部分の表示文字サイズが異なり、ユーザに違和感を与える、という事態を回避することが可能になっている。
従って、本実施形態の携帯端末装置１００によれば、ＨＴＭＬメールの表示時には、送信者の意図した通りのレイアウトを維持しつつ、ＨＴＭＬメールとＨＴＭＬメールでないメールとの書誌事項部分の表示を共通化することができる。さらに、ＨＴＭＬメールとＨＴＭＬメールでないメールとの画面遷移時の画面レイアウトの変化を最小限にすることができ、自然な画面遷移を提供することができる。
【００２９】
本発明は上述した実施形態には限定されない。
すなわち、本発明の実施に際しては、本発明の技術的範囲またはその均等の範囲内において、上述した実施形態の構成要素に関し様々な変更、コンビネーション、サブコンビネーション、並びに代替を行ってもよい。
【００３０】
なお、上述した実施形態の携帯端末装置１００においては、制御部５はＨＴＭＬメールであるか否かの判定を行い、ＨＴＭＬメールの場合に書誌事項部分を設定情報に応じて表示部３に表示させ、本文をＨＴＭＬメールが有する文字サイズ情報に従って表示させているが、本発明はこれには限定されない。すなわち、本発明のメール表示装置では、ＨＴＭＬメールに限らず、何らかの形で表示の際の文字サイズに関する情報を有している電子メールであれば、上述した表示文字サイズ変更処理と同様の処理を行う。
【００３１】
上述した実施形態の携帯端末装置１００においては、「極小」から「極大」迄の５段階の文字サイズを表示可能であるとしたが、本発明はこれには限定されず、何段階の文字サイズを表示可能であってもよい。例えば、「小」、「中」、「大」の３段階でもよいし、より多い段階の文字サイズを表示可能であってもよい。
また、上述した実施形態の携帯端末装置１００においては、受信したメールがＨＴＭＬメールであるか否かを判断し、ＨＴＭＬメールの場合にはＨＴＭＬタグの形式で記述された文字サイズ情報に応じて表示するように構成したが、ＨＴＭＬメールであるか否かを判断し、ＨＴＭＬメールと判断した場合には、記憶部２に記憶された設定情報の文字表示サイズとは異なる文字サイズにてメール本文を表示させるようにしてもよい。この場合、ＨＴＭＬメールにＨＴＭＬタグが無くてもあらかじめ設定されているＨＴＭＬメール用の文字サイズでメール本文を表示させるようにしてもよい。
また、上述した実施形態の携帯端末装置１００においては、受信したメールがＨＴＭＬメールであるかを判断したが、受信したメールに表示文字サイズ情報が含まれているか否かを判断し、当該表示文字サイズ情報が含まれていると判断した場合にはメール本文を当該表示文字サイズ情報に基づき表示させるようにしてもよい。なお、受信したメールがＨＴＭＬメールか否かを判断し、ＨＴＭＬメールである場合には文字サイズ情報が含まれていると判断してメール本文を表示するようにしてもよい。
【図面の簡単な説明】
【００３２】
【図１】図１は、携帯端末装置１００の構成例を示すブロック図である。
【図２】図２は、携帯端末装置１００の外観の一例を示す図である。
【図３】図３は、表示制御部５１が表示部３に表示させたメール表示画面の一例を示す図である。
【図４】図４は、表示制御部５１が文字の大きさを変更したメールを表示部３に表示させたメール表示画面の一例を示す図である。
【図５】図５は、ＨＴＭＬメールの一例を示す図である。
【図６】図６は、表示制御部５１がＨＴＭＬメールを表示部３に表示させる際の表示例を示した図である。
【図７】図７は、携帯端末装置１００のメール表示時の動作例を示すフローチャートである。
【符号の説明】
【００３３】
１００…携帯端末装置、１０１…上部筐体、１０２…下部筐体、１０３…ヒンジ部、１…無線通信部、１１…アンテナ部、２…記憶部、３…表示部、４…入力部、５…制御部、５１…表示制御部
【図１】
2008171342.tif 000003
【図２】
2008171342.tif 000004
【図３】
2008171342.tif 000005
【図４】
2008171342.tif 000006
【図５】
2008171342.tif 000007
【図６】
2008171342.tif 000008
【図７】
2008171342.tif 000009